(57)【要約】【課題】本発明の課題は、液晶表示装置や携帯端末装置の待機時等における消費電力を低減するだけでなく、商品価値および利便性を向上させることである。【解決手段】ＴＧ部１５は、パーシャル駆動時における背景表示領域を設定し、且つ、表示色を指定する。ソースドライバ１２は、部分表示領域に対しては、ＲＡＭ１３から転送されるデータに基づいて各データ線に対して電圧を印加し、背景表示領域については、ＴＧ部１５から指定される色指定信号に基づいてデータ線に電圧を印加する。【選択図】      図２
2008116985.tif 000002
【特許請求の範囲】
【請求項１】
カラー表示可能な液晶表示部を有し、パーシャル駆動時に、前記液晶表示部を部分表示領域と背景表示領域とに分割して当該液晶表示部を駆動する液晶表示装置において、
前記背景表示領域の表示色を設定する色設定手段を備えることを特徴とする液晶表示装置。
【請求項２】
色指定信号を外部入力する入力手段を更に備え、
前記色設定手段は、前記色指定信号に基づいて、前記背景表示領域の表示色を設定することを特徴とする請求項１記載の液晶表示装置。
【請求項３】
２以上の背景表示領域を設定する領域設定手段を更に備え、
前記色設定手段は、前記領域設定手段により設定された背景表示領域毎に表示色を設定することを特徴とする請求項１又は２記載の液晶表示装置。
【請求項４】
請求項１から３の何れか記載の液晶表示装置を有する携帯端末装置において、
当該携帯端末装置の状態を判定する判定手段と、
前記判定手段により判定される状態に対応する表示色を記憶する記憶手段と、
を備え、前記液晶表示装置により、当該携帯端末装置の状態に応じた表示色が前記背景表示領域の表示色に設定されることを特徴とする携帯端末装置。
【請求項５】
請求項４記載の携帯端末装置は携帯電話機であって、
前記状態には、着信したか否か、通信中か否か、所定の通信相手か否か、バッテリー残量が所定の範囲内に含まれるか否か、通信回数が所定回数か否か、着信音出力が可能か否か、及び所定の日時か否か、の内、少なくとも１つの状態が含まれることを特徴とする携帯端末装置。
【発明の詳細な説明】
【技術分野】
【０００１】
本発明は、画面を表示領域と背景表示領域とに分割して表示をする液晶表示装置および携帯端末装置に関する。
【背景技術】
【０００２】
近年では、携帯電話などの小型携帯端末装置の表示画面として、カラーの液晶表示装置が広く用いられている。小型携帯端末装置においては、電池駆動が一般的であるため、低消費電力が余儀なくされるが、その一方で、高解像度・高画質の画像表示が要求され、画面表示に伴う電力消費が増大化している。そこで、携帯電話などでは、例えば待ち受け時などに、全画面表示をせずに部分的にアイコン等を表示し、それ以外の部分を非表示状態とする、いわゆるパーシャル駆動を採用し、消費電力を低減させているものが多い。
【発明の開示】
【発明が解決しようとする課題】
【０００３】
パーシャル駆動時の非表示領域の設定方法については、種々の提案が成されているが、その多くが非表示領域を黒か白にしている。例えば、表示・非表示領域を走査線単位で設定した場合には、非表示領域に対する表示データの電圧をHiかLoに設定し、単に白か黒を表示している。あるいは、非表示領域に属する走査線を非選択状態とし、電圧をかけないように設定するものもある。このとき、電圧をかけない状態で白表示（ノーマリーホワイト・モード）となる設定が成されている場合には、非表示領域が白く表示される。一方、電圧をかけない状態で黒表示（ノーマリーブラック・モード）となる設定が成されている場合には、非表示領域が黒く表示される。このように、従来のパーシャル駆動では、白か黒の表示しかされないことが多く、あじけないものが多かった。
【０００４】
本発明の課題は、液晶表示装置や携帯端末装置の待機時等における消費電力を低減するだけでなく、商品価値および利便性を向上させることである。
【課題を解決するための手段】
【０００５】
請求項１に記載の液晶表示装置は、カラー表示可能な液晶表示部（例えば、図２に示す液晶表示パネル１０）を有し、パーシャル駆動時に、前記液晶表示部を部分表示領域と背景表示領域とに分割して当該液晶表示部を駆動する液晶表示装置において、前記背景表示領域の表示色を設定する色設定手段（例えば、図２に示すＴＧ部１５）を備えることを特徴とする。
【０００６】
この請求項１に記載の発明によれば、液晶表示装置は、カラー表示可能な液晶表示部について、パーシャル駆動をする際、背景表示領域に表示する色を設定する手段を有する。したがって、背景表示領域に対して色を表示することによって、従来の背景表示領域における黒表示・白表示のようなあじけなさを解消し、付加価値をつけることができる。また、例えば、ＲＡＭなどに記憶されたデータを読み出して液晶表示画面全体に画像を表示させる場合と比較して、背景表示領域に特定の色を表示させることで、ＲＡＭにアクセスして必要なデータを読み出す処理が軽減されるため、その分消費電力を低減させることができる。
【０００７】
なお、背景表示領域に表示する色を１つの色に限定する必要はなく、外部からの入力指示に応答して随時設定可能なようにしても良いことは勿論である。すなわち、請求項２に記載の発明のように、請求項１に記載の液晶表示装置において、色指定信号を外部入力する入力手段を更に備え、前記色設定手段は、前記色指定信号に基づいて、前記背景表示領域の表示色を設定することとしてもよい。
【０００８】
また、背景表示領域を複数設定する場合には、その全ての背景表示領域に対して同一色を表示させても良いし、その１つ１つに対して異なる色を設定してもよい。すなわち、請求項３に記載の発明のように、請求項１または２に記載の液晶表示装置において、２以上の背景表示領域を設定する領域設定手段を更に備え、前記色設定手段は、前記領域設定手段により設定された背景表示領域毎に表示色を設定することとしてもよい。
【０００９】
請求項４に記載の発明は、請求項１から３の何れか記載の液晶表示装置を有する携帯端末装置において、当該携帯端末装置の状態を判定する判定手段（例えば、図７に示す制御部３１）と、前記判定手段により判定される状態に対応する表示色を記憶する記憶手段（例えば、図７に示す記憶部３５）と、を備え、前記液晶表示装置により、当該携帯端末装置の状態に応じた表示色が前記背景表示領域の表示色に設定されることを特徴とする。
【００１０】
この請求項４に記載の発明によれば、パーシャル駆動時に背景表示領域に色を設定する手段を有する液晶表示装置を有する携帯端末装置において、携帯端末装置の状態に応じて背景表示領域に表示する色を変化させることができる。したがって、単に背景表示領域に色を表示して画面を美しくするだけでなく、色によって携帯端末装置の状態を利用者に知らしめることが可能となり、商品価値の向上と、利便性の向上を図ることができる。
【００１１】
また、請求項５に記載の発明のように、請求項４記載の携帯端末装置は携帯電話機であって、前記状態には、着信したか否か、通信中か否か、所定の通信相手か否か、バッテリー残量が所定の範囲内に含まれるか否か、通信回数が所定回数か否か、着信音出力が可能か否か、及び所定の日時か否か、の内、少なくとも１つの状態が含まれることとしてもよい。
【００１２】
この請求項５に記載の発明によれば、携帯電話機において、着信時に背景表示領域の色を変化させたり、通信中に背景表示領域の色を変化させたり、通信相手に応じて色を変化させたり、バッテリーの残量に応じて色を変化させたり、通信回数に応じて色を変化させたり、着信音に合わせて色を変化させたり、利用者によって入力されるスケジュールに応じて色を変化させたり、といった、携帯電話機の機能や状態に応じて色を変化させることができる。すなわち、携帯電話機の利便性を高め、且つ、利用者の遊び心をかきたて、携帯電話機の商品価値を高めることができる。
【発明の効果】
【００１３】
本発明によれば、液晶表示装置は、パーシャル駆動時において、背景表示領域に表示する色を設定する手段を有する。したがって、背景表示領域に対して、単に黒表示や白表示をするだけでなく、色を表示することにより商品価値を高めることができる。また、外部からの入力に応答して色を変化させることが可能な構成にすることで、例えば、携帯電話機などの携帯端末装置における機能や状態に応じた画面表示を実現することができる。
【発明を実施するための最良の形態】
【００１４】
以下に、本発明の実施の形態について、図面を参照して詳細に説明する。
本発明は、パーシャル駆動時における部分表示領域以外の表示領域に、単に白か黒の表示をするのではなく、特定の色を表示することを特徴としている。
【００１５】
図１は、本実施形態のパーシャル駆動時における液晶表示パネル１０の表示状態の一例を示す図である。同図によれば、液晶表示パネル１０の表示画面１０Ａが、３つの、画像データを表示する部分表示領域１００，１０２，１０４と、背景表示領域Ａ１０１と、背景表示領域Ｂ１０３と、に分割されている。ここで、背景表示領域はパーシャル駆動における部分表示領域以外の領域であって、従来の非表示領域に対応するものであるが、本実施の形態では、この領域を単純な白か黒表示にするのではなく、所定の色を表示するようにしたものである。
また、ＰＳＡ、ＰＥＡ、ＰＳＢ、ＰＥＢは、各背景表示領域の開始ライン及び終了ラインのアドレスを記憶するレジスタの名称を示しており、詳しくは後述する。
【００１６】
以下に、本実施の形態について、詳細に説明する。
図２は、本実施の形態における液晶表示装置１の回路構成の一例を示す図である。同図によれば、液晶表示装置１は、液晶表示パネル１０と、ゲートドライバ１１と、ソースドライバ１２と、ＲＡＭ１３と、データＩ／Ｏ１４と、表示タイミングジェネレータ（以下、ＴＧ部１５という）と、制御Ｉ／Ｏ１６と、を主に具備する。データＩ／Ｏ１４は、外部から入力される信号をＲＡＭ１３に出力するものであり、また、制御Ｉ／Ｏ１６は、外部から入力される表示信号や制御信号をＴＧ部１５に出力したり、ＴＧ部１５から出力される制御信号を外部に出力したりするものである。また、アンプ１７はコモン信号Ｖｃｏｍを生成して液晶表示パネル１０の共通電極に供給するものである。
【００１７】
液晶表示パネル１０は、ゲートドライバ１１およびソースドライバ１２から供給される信号に応答して画像を表示するものであって、ここでは、アクティブマトリックス駆動をするＴＦＴ−ＬＣＤ（薄膜トランジスタタイプの液晶ディスプレイ）を用いる場合を例に説明する。ＴＦＴ−ＬＣＤは、薄膜トランジスタ（ＴＦＴ）と、液晶画素とをガラス基板上にアレイ状に配列したディスプレイである。
【００１８】
より詳細には、液晶表示パネル１０は、対向するガラス基板と、カラーフィルタと、バックライトと、を主に具備し、その一方のガラス基板上の水平方向に走査線（ゲート線）が、垂直方向にデータ線が、それぞれ配列され、ゲート線とデータ線の交点に該当する位置に個々の画素電極が配置され、他方のガラス基板に共通電極とカラーフィルタが形成されている。ガラス基板間には液晶が充填され、ゲート線・データ線から供給される信号（電圧）に応じて画素電極と共通電極間の液晶の配列を変化させ、バックライトから入射される光の透過量を制御する。また、他方のガラス基板には、赤（Ｒ）、緑（Ｇ）、青（Ｂ）のカラーフィルターが配置され、各画素を透過する光量に応じた色の濃淡を示し、その組み合わせによって、様々な色合いの表示を実現する。
【００１９】
図３は、ＴＦＴ−ＬＣＤの液晶パネルの基本構成を示す図である。ゲート線２０とデータ線２１の交点に該当する位置に、ＴＦＴ２２と、ＴＦＴのドレイン電極Ｄに接続された画素電極と、共通電極２５に挟まれた液晶からなる画素容量２３、および絶縁膜を介して共通電極２５に接続された補助容量電極からなる補助容量２４が配置され、ゲート線２０はＴＦＴ２２のゲート電極Ｇに接続され、データ線２１はＴＦＴ２２のソース電極Ｓに接続される。ゲート線２０に順次パルス電圧（走査信号）を印加すると、これに接続されるＴＦＴ２２のゲート電極Ｇに電圧がかかり、ＴＦＴ２２のソース電極Ｓ・ドレイン電極Ｄ間にチャネルが形成される。同時に、データ線２１から信号電圧が印加されると、ＴＦＴ２２のソース・ドレイン間に電流が流れ、画素容量２３および補助容量２４に電荷が蓄積される。１ラインの走査が終了し、ＴＦＴ２２のゲートにかかる電圧が中断されると、ＴＦＴ２２がオフ状態となり、ソース・ドレイン間の電流の流れが止まり、画素容量２３および補助容量２４に電荷が保持される。画素電極と共通電極に挟まれた液晶には、画素容量２３に充電された電荷により電圧が印加されて配列を変化させることとなる。このように、ＴＦＴ−ＬＣＤでは、ＴＦＴがスイッチング素子となって、画素にかかる電圧を制御する。
【００２０】
ゲートドライバ１１は、液晶表示パネル１０の個々のゲート線２０に対して順次走査信号を印加する。具体的には、シフトレジスタを有し、ＴＧ部１５から指示されるタイミングでゲート線１本毎に走査信号を印加し、全てのゲート線２０に順に走査信号を印加する。
【００２１】
ソースドライバ１２は、液晶表示パネル１０の個々のデータ線に対して、信号電圧を供給する。具体的には、シフトレジスタを有し、ＴＧ部１５から指定されるタイミングで、後述する表示データ信号が記憶されるＲＡＭ１３から転送される表示データ信号に基づいて生成した信号電圧を、データ線に印加する。なお、ＴＧ部１５は、ゲートドライバ１１やソースドライバ１２によるゲート線、データ線のシフトに応答してＲＡＭ１３から読み出すデータのアドレスを演算する。そして、データを読み出すタイミングで、ＲＡＭ１３からデータを読み出してソースドライバ１２に転送させる。また、後述するように、パーシャル駆動時においては、ＴＧ部１５からソースドライバ１２へ、各色画素の設定値が表示データ信号として印加される。
【００２２】
ＲＡＭ１３は、液晶表示パネル１０の各画素に対応する記憶領域を有し、データＩ／Ｏ１４から入力される表示データ信号をＴＧ部１５により指定されるアドレスに書き込み、また、ＴＧ部１５から指定されるアドレスの表示データ信号を読み出して、ソースドライバ１２に出力する。なお、ＲＡＭ１３は、例えば、液晶表示パネル１０が１３２×１７６のドット数（１ドット＝赤・緑・青の３画素分）を有する場合には、例えば、１３２×１７６×１６（ビット）の記憶容量を有する。１６ビットの内訳は、赤と青がそれぞれ５ビット、緑が６ビットとなっている。すなわち、赤と青については、２の５乗（２5）の階調まで表現を可能とし、緑については、２の６乗（２6）の階調までの表現を可能としている。
なお、このＲＡＭ１３は液晶表示装置１の消費電力を低減させるために設けられているものである。すなわち、ＲＡＭ１３は上記のように表示データ信号を例えば１画面分記憶し、ＲＡＭ１３に記憶された表示データ信号のみを用いて画面表示を行うモードを備えることにより、このモードの間は液晶表示装置１への新たな表示データ信号の供給を停止することができて消費電力を低減させることができる。
【００２３】
ＴＧ部１５は、タイミングパルスを生成して、ゲートドライバ１１やソースドライバ１２の駆動タイミングを指示したり、レジスタ（不図示）やＲＡＭ１３の読み書き動作のタイミングを制御する等の処理を行う。また、ＲＡＭ１３への読み出し、および、書き込む際のアドレス演算処理、アンプ１７が共通電極に対して出力するコモン電圧Ｖｃｏｍの生成用反転信号の生成処理、また、例えば、電源電圧発生レギュレータＩＣ（不図示）を制御するためのシリアル通信コマンド信号の生成処理、などの処理を行う。
【００２４】
ところで、本実施の形態では、液晶表示装置１は、外部からの入力指示に応答して、液晶表示パネル１０を図１に示したように、表示領域と背景表示領域とに分割して表示するといった、いわゆるパーシャル駆動を行う。このために、ＴＧ部１５は、パーシャル駆動時における各種設定・処理を行う。以下、ＴＧ部１５によるパーシャル駆動処理について説明する。
【００２５】
図４は、パーシャル駆動に関わるデータを記憶するレジスタの例を示す図である。なお、以下では、８ビットのレジスタを用いることとして説明するが、これに限定する必要はない。同図において、識別コードとは、各レジスタを識別するためのコードであり、名称とは、各レジスタの名称を示している。また、ビットとは、各レジスタにおけるビット、若しくは、端子を示している。また、内容とは、各レジスタが記憶する内容、若しくは、各ビットが示す意味内容を示している。
【００２６】
識別コード「１１００１」の、ＰＳＡレジスタは、図１に示した背景表示領域Ａの開始ライン（ゲート線）のアドレスを記憶する。また、識別コード「１１０１０」の、ＰＥＡレジスタは、背景表示領域Ａの終了ラインのアドレスを記憶する。同様に、識別コード「１１０１１」のＰＳＢレジスタは、背景表示領域Ｂの開始ラインのアドレスを記憶し、識別コード「１１１００」のＰＥＢレジスタは、背景表示領域Ｂの終了ラインのアドレスを記憶する。また、各レジスタは、０から７ビットによってアドレスが指定される。
【００２７】
また、識別コード「１１１０１」は、背景表示領域に表示する色情報を記憶する色設定レジスタを示している。この色設定レジスタの０番目のビットは赤（Ｒ）の表示有無を示し、１番目のビットは緑（Ｇ）の表示有無を示し、２番目のビットは青（Ｂ）の表示有無を示す。ＴＧ部１５は、制御Ｉ／Ｏ１６を介して外部から、色設定レジスタの識別コード「１１１０１」と、ＲＧＢ各色の表示有無を指定する信号が入力された場合には、その入力された信号を色設定レジスタに記憶する処理を行う。なお、色設定レジスタが８ビットを有する場合、上記ＲＧＢ各色の表示有無の指定に用いられる以外のビット（４〜８番目のビット）を、他の目的、例えば背景表示領域の駆動条件の設定、に用いるようにしてもよい。
【００２８】
なお、各色の出力について、例えば、１を出力オンとし、０を出力オフとすれば、図４における各色の出力有無の組み合わせによって８種類の色を指定することができる。図５は、色の組み合わせパターンを説明するための図である。同図によれば、ＲＧＢの全てがオフ（０）の場合には、黒表示となり、全てがオン（１）であれば、白表示となる。例えば、ＲＧＢの順に「１１０」であれば、イエローが表示されることとなる。
【００２９】
以下に、ＴＧ部１５の動作について説明する。
図６は、ＴＧ部１５の動作を説明するためのフローチャートである。
まず、ＴＧ部１５は、制御Ｉ／Ｏ１６を介して外部からパーシャル駆動モードを設定する指示が入力されると、外部から入力される色指定信号に応答して、色設定レジスタに指定された色の情報を記憶する（ステップＳ１）。すなわち、背景表示領域に表示する色を記憶するための色設定レジスタ「１１１０１」（図４参照）に、ＲＧＢ各色のＯＮ／ＯＦＦを記憶する。次いで、ＴＧ部１５は、ゲート線アドレスを記憶する変数ｉを０にして（ステップＳ２）、０番目のゲート線に走査信号を印加する指示をゲートドライバ１１に出力する。
【００３０】
続いて、ＴＧ部１５は、背景表示領域の開始アドレスと終了アドレスが記憶されているレジスタＰＳＡ，ＰＳＢ及びＰＥＡ，ＰＥＢの値を参照して、ゲート線アドレスｉが背景表示領域に含まれるか否かを判定する。
まず、ゲート線アドレスｉが、背景表示領域Ａの範囲内にあるか否か（ＰＳＡ≦ｉ≦ＰＥＡ）を判定する（ステップＳ３）。範囲外にあると判定された場合には、次いで、ゲート線アドレスｉが、背景表示領域Ｂの範囲内にあるか否か（ＰＳＢ≦ｉ≦ＰＥＢ）を判定する（ステップＳ４）。
【００３１】
ゲート線アドレスｉが、背景表示領域Ａ・背景表示領域Ｂのいずれの領域にも含まれない場合には、ＲＡＭ１３からデータを読み出してソースドライバ１２に転送する。このとき、ＴＧ部１５は、データ線アドレスを記憶する変数ｋを０にし（ステップＳ５）、ＲＡＭ１３からアドレス（ｋ，ｉ）のデータを読み出して（ステップＳ６）、ソースドライバ１２に転送する。すなわち、ＲＡＭ１３のアドレス（ｋ，ｉ）に記憶されたデータに基づく電圧を、ソースドライバ１２によってｋ番目のデータ線に印加させる。更に、ＴＧ部１５は、データ線アドレスｋに１を加算し（ステップＳ７）、データ線総数ｍについて、値ｋがｍ−１と等しいか否かを判定する（ステップＳ８）。すなわち、全てのデータ線について電圧を印加したか否かを判定する。全てのデータ線について処理が終了した場合には、ステップＳ１３に移行する。一方、ｋがｍ−１に満たない場合、すなわち、未処理のデータ線が存在する場合には、ステップＳ６に戻って処理を繰り返す。
【００３２】
さて、ステップＳ３・Ｓ４において、ゲート線アドレスｉが背景表示領域Ａか背景表示領域Ｂのいずれかの領域に含まれる場合には、色設定レジスタ「１１１０１」に記憶された色を各背景表示領域に表示させる。すなわち、各データ線に印加する電圧を色設定レジスタに記憶された情報に基づいて決定する。具体的には、まず、データ線アドレスｋの値を０にする（ステップＳ９）。そして、ｋ番目のデータ線に印加する電圧を色設定レジスタに記憶された情報に基づいて決定する（ステップＳ１０）。具体的には、例えば、画素がゲート線方向にＲＧＢの順で配列されている場合、変数ｋを３で割った際の余りを調べ、余りが０の場合（すなわち、ｋ＝０，３，…で、Ｒ画素に対応）には、色設定レジスタに記憶された赤の設定値（１ビット目の値：１又は０）を読み出して、ソースドライバ１２に出力する。また、余りが１の場合（すなわち、ｋ＝１，４，…で、Ｇ画素に対応）には、色設定レジスタから緑の設定値（２ビット目の値：１又は０）を読み出して、ソースドライバ１２に出力する。また、余りが２の場合（すなわち、ｋ＝２，５，…で、Ｂ画素に対応）には、色設定レジスタから青の設定値（３ビット目の値：１又は０）を読み出して、ソースドライバ１２に出力する。なお、ここでは、変数ｋを３で割った際の余りを判断することで、該当する画素の色を判断することとして説明したが、この計算方法に限定する必要はない。
【００３３】
ソースドライバ１２にデータを転送すると、データ線アドレスｋに１を加算し（ステップＳ１１）、データ線総数ｍについて、変数ｋがｍ−１と一致するか否かを判定する（ステップＳ１２）。ｋの値がｍ−１に満たない場合には、ステップＳ１０に戻って処理を繰り返す。一方、ｋ＝ｍ−１が満たされる場合には、該当するゲート線上の全ての画素について電圧を印加したものとして、次のステップに移行する。
【００３４】
走査実行中のゲート線に属する画素に対して電圧を印加する処理が終了すると、ＴＧ部１５は、ゲート線アドレスを記憶するゲート線レジスタの値ｉに１を加算し（ステップＳ１３）、ゲート線総数ｎについて、変数ｉがｎ−１と一致するか否かを判定する（ステップＳ１４）。変数ｉの数がｎ−１に満たない場合には、ステップＳ３に戻って、次のゲート線について処理を行う。一方、変数ｉがｎ−１と一致する場合、すなわち、全てのゲート線について処理が終了すると、パーシャル駆動モードを終了するか否かを判定する（ステップＳ１５）。パーシャル駆動モードを解除する指示が外部から入力された場合には、本処理を終了する。一方、パーシャル駆動モードを解除する指示が入力されない場合には、ステップＳ２に戻って、次のフレームの画像を表示するために、ゲート線の最初から画像を表示する処理を行う。
【００３５】
このように、ＴＧ部１５は、背景表示領域の表示に際しては、ＲＡＭ１３に記憶されたデータではなく、外部から指示された単一の色を表示させる。その際、ＴＧ部１５は、ＲＡＭ１３とレジスタの読み出しを切り換え、走査実行中のゲート線が表示領域に属する場合には、ＲＡＭ１３からデータを読み出し、背景表示領域に属する場合には、レジスタからデータを読み出すように制御する。
【００３６】
以上説明したように、液晶表示装置１は、パーシャル駆動モードにおいて、液晶表示パネル１０を表示領域と背景表示領域とに分割し、背景表示領域に単一色を配色する。このとき、ＲＡＭ１３に記憶された表示データ信号は用いないため、ＲＡＭ１３の駆動領域を限定させることができる。したがって、液晶表示パネル１０の全画面にＲＡＭ１３に記憶された画像データを表示する場合と比較して消費電力を低減させることができるだけでなく、背景表示領域にカラー表示をすることで従来のパーシャル駆動時におけるあじけなさを解消することができる。
【００３７】
続いて、以下に本発明を携帯電話機に適用した場合について説明する。
図７は、本実施の形態における携帯電話機の回路構成の一例を示す図である。同図によれば、携帯電話機３０は、液晶表示装置１と、制御部３１と、音入出力部３２と、入力部３３と、通信部３４と、記憶部３５と、電源部３６と、計時部３７と、を備えている。
【００３８】
制御部３１は、記憶部３５に記憶されたプログラムやデータに従って、各部を制御したり、入力部３３から入力される信号に従って各種演算をしたり、といった、各種処理を実行し、必要に応じてその処理結果を記憶部３５に記憶させると共に、液晶表示装置１に画像データを転送して表示させる。
【００３９】
音入出力部３２は、スピーカやマイクを含み、制御部３１や通信部３４から入力される音声信号に基づいて外部に音を出力したり、外部の音を検出して音信号を生成し、制御部３１や通信部３４に出力する。
【００４０】
入力部３３は、テンキーや機能キーを有するものであり、利用者により押下されたキーに基づく信号を生成して制御部３１や通信部３４に出力する。
【００４１】
通信部３４は、制御部３１から入力される指示に従って通信を実行する。すなわち、指示された電話番号への発呼、無線回線の確立、データ或いは音声の送受信、通信回線の切断、などの処理を行う。より具体的には、基地局から電波を受信すると、必要なチャネルを選択して信号を読み出し、復調して音入出力部３２に出力したり、液晶表示パネル１０に表示したりする。或いは、制御部３１から入力されるデータや、音入出力部３２から入力される音声を変調し、送信すべきチャネルを選択して前記基地局に対して送信する。
【００４２】
記憶部３５は、ＲＡＭやＲＯＭ（ＥＥＰＲＯＭ、フラッシュメモリ、ＩＣカード）などの記憶媒体により実現される。ＲＡＭは、制御部３１や通信部３４といった携帯電話機３０の機能部が各種処理を実行するためのワークエリアを有し、各機能部に指定された情報をワークエリア内に展開すると共に、各機能部による指示に従って書き換えたり読み出したりすることを可能とするものである。また、ＲＯＭには、携帯電話機３０を構成する各機能部が各種処理を実行するために必要なプログラムやデータが予め記憶されている。また、記憶部３５は、ＲＡＭやＥＥＰＲＯＭ、フラッシュメモリなどの記憶媒体に、制御部３１や通信部３４から入力される指示に従って、必要な情報を指定されたエリアに格納する処理を行う。
【００４３】
電源部３６は、携帯電話機３０内の各回路に対して電源を供給するものである。
計時部３７は、実時間の経過を計時する機能部である。
【００４４】
ところで、制御部３１は、必要に応じて、例えば携帯電話の待ち受け時に、液晶表示装置１に対してパーシャル駆動モードに設定する指示を出力する。その際、制御部３１は、携帯電話機３０の状態に応じて背景表示領域に表示させる色を決定し、パーシャル駆動モード設定指示と合わせて液晶表示装置１に色指定信号を出力する。
【００４５】
以下に、色の決定方法の例について説明する。
なお、以下に示す、携帯電話機の状態と色指定信号との対応関係を記憶する対応テーブルは、記憶部３５に記憶されることとする。
【００４６】
（１）バッテリー残量
図８は、バッテリー残量に応じて背景表示領域の色を変化させた一例を示す図である。（ａ）から（ｃ）の順にバッテリー残量が減少し、バッテリー残量の変化に応じて背景表示領域の色を変化させている。例えば、バッテリー（電源部３６）に十分に電力が蓄えられている状態では、背景表示領域を青色にし、バッテリー残量が半減すると黄色にし、更にバッテリー残量が減少すると赤色を表示するように設定すれば、利用者に色の変化によってバッテリー残量を判断させることができる。
【００４７】
すなわち、制御部３１は、電源部３６に蓄積された電力の残量を判定し、その量に応じて背景表示領域に表示させる色を決定する。
図９は、バッテリー残量と、色指定信号の対応関係を示す対応テーブル５０の一例を示す図である。同図によれば、バッテリー残量が０〜Ａまでの値の場合には、色指定信号「１１１０１１００」を液晶表示装置１に対して出力する。ここで、色指定信号における最初の５桁「１１１０１」は、液晶表示装置１における色設定レジスタの識別コードに対応する。すなわち、背景表示領域に表示する色を記憶するためのレジスタを指定するものである。また、残りの３桁は、赤と青と緑の出力有無を指定する信号である。すなわち、残りの３桁「１００」は、赤のみを出力して青と緑はオフにすることを示している。したがって、バッテリー残量がＡ未満である場合には、背景表示領域に赤が表示されることとなる。同様に、バッテリー残量がＡ以上Ｂ未満である場合には黄色を、バッテリー残量がＢ以上である場合には青を指定する。このように、バッテリー残量の範囲と色指定信号とを対応付けて記憶すれば、図８に示したように、バッテリー残量に合わせて背景表示領域の色を指定することができる。
【００４８】
なお、電源部３６に蓄積された電力の残量を判定する方法について、様々な提案が成されているが、ここではそのいずれを用いてもよいことは勿論である。例えば、電源部３６の充放電電流を判定して残量を検出する電流積算法や、電源部３６の端子電圧と残量特性に基づいて残量を検出する電圧法などがある。これらのいずれであってもかまわない。
【００４９】
（２）外部入力
外部からの着信や、ボタン操作（入力部３３からの入力信号）に連動して背景表示領域の表示色を変化させる構成にしてもよい。例えば、制御部３１は、通信部３４から情報を着信した通知信号が入力されると、その着信通知信号に連動して着信時特有の色（例えば、緑）を表示するように、色指定信号を液晶表示装置１に出力する。あるいは、利用者によりマナーモード（すなわち、着信音や入力音などを出力しないモード）が選択された時に、そのボタン操作に連動して、マナーモード特有の色（例えば、青）を表示するように、色指定信号を液晶表示装置１に出力する。図１０は、マナーモードが選択される前（ａ）と、選択された後（ｂ）の携帯電話機３０の状態の一例を示している。このように、着信やボタン操作に連動して色を決定することにより、利用者は携帯電話機３０のモードを背景表示領域に表示された色によって判断することができる。
【００５０】
図１１は、外部入力と、色指定信号との対応関係を記憶した対応テーブル５１の一例を示す図である。同図によれば、通信部３４から入力される着信通知信号や、入力部３３から入力される操作信号Ａ、Ｂなどがそれぞれ色指定信号と対応付けて記憶されている。制御部３１は、各機能部から入力される信号を判定し、対応テーブル５１と照らし合わせることによって、液晶表示装置１に出力する色指定信号を決定することができる。
【００５１】
あるいは、通信部３４からメール等の送信処理が終了した旨の通知信号や、ＷＥＢサイトへのアクセスが完了した旨の通知信号などと、色指定信号を関連付けて記憶し、それらの通知信号に応答して液晶表示装置１に色指定信号を出力するようにしても良い。
【００５２】
（３）着信音
近年の携帯電話機では、利用者が自由に着信音を選択したり、入力できるようになっている。そこで、設定された各々の着信音と色とを対応付け、着信時には、出力する着信音に合わせて背景表示領域に表示する色を変化させても良い。すなわち、制御部３１は、通信部３４から着信通知信号が入力されると、出力する着信音を決定して音入出力部３２に対して出力する。その際、決定した着信音に対応する色を選択して、液晶表示装置１に色指定信号を出力する。
【００５３】
図１２は、着信音と色指定信号とを対応付けて記憶した対応テーブル５２の一例を示す図である。同図によれば、各々の着信音と色指定信号が対応付けて記憶されている。制御部３１は、出力する着信音を決定すると、その着信音に対応する色指定信号を対応テーブル５２から読み出して、液晶表示装置１に出力する。
【００５４】
あるいは、着信音のメロディーに合わせて背景表示領域に表示する色を変化させてもよい。具体的には、例えば、着信音毎に音の発生時からの時間と、色指定信号とを対応付けて記憶し、着信音を出力する際には、計時部３７によって時間を計時すると共に、色指定信号の出力タイミングをはかり、液晶表示装置１に対して出力する。
【００５５】
（４）着信頻度
通信相手毎の着信頻度に応じて背景表示領域の色を変化させるようにしてもよい。すなわち、制御部３１は、通信部３４から入力される着信通知信号に基づいて着信履歴を生成して記憶部３５に記憶すると共に、着信履歴に記憶された着信回数に応じて背景表示領域に表示する色を決定する。
【００５６】
図１３は、着信履歴５３の一例を示す図である。同図によれば、着信履歴５３には、発信元の電話番号と着信日時がそれぞれ対応付けて記憶されている。制御部３１は、通信部３４から着信通知信号を受信すると、その発信元の電話番号と合致する電話番号の数を判定し、その発信元からの着信回数を判定する。なお、制御部３１は、着信履歴に記憶された着信日時から所定の期間以上経過した場合には、その着信日時に対応する情報（すなわち、電話番号と着信日時）を削除する。このように、時間経過に伴って過去の履歴を削除することによって、一定時間内に着信した回数、すなわち、着信頻度が得られる。
【００５７】
図１４は、着信頻度と色指定信号の対応関係を記憶する対応テーブル５４の一例を示す図である。同図によれば、対応テーブル５４には、着信回数と色指定信号とがそれぞれ対応付けて記憶されている。制御部３１は、着信履歴５３によって、発信先からの着信頻度を判定すると、その判定した着信頻度に対応する色指定信号を対応テーブル５４から読み出して、液晶表示装置１に出力する。このように、着信頻度に応じて背景表示領域に表示する色を変化させることによって、情報の緊急度を色によって示すことが可能となる。
【００５８】
（５）スケジュール
利用者により予め入力されたスケジュールと連動して背景表示領域に表示する色を決定してもよい。
【００５９】
図１５は、スケジュール管理表５５の一例を示す図である。同図によれば、スケジュール管理表５５には、スケジュール（事象）と、その詳細情報と、日時とが対応付けて記憶されている。すなわち、制御部３１は、入力部３３から事象とその詳細および日時が入力されると、スケジュール管理表５５にそれぞれ対応付けて記憶する。
【００６０】
図１６は、時間差の範囲と色指定信号の対応関係を記憶した対応テーブル５６の一例を示す図である。ここで、時間差とは、計時部３７が計時する実時間と、スケジュール管理表５５に記憶された日時との差を意味する。例えば、制御部３１は、入力部３３からスケジュール管理表５５に記憶された事象について詳細を表示する指示が入力された場合には、その詳細情報をスケジュール管理表５５から読み出して液晶表示装置１に出力すると共に、その事象の日時と実時間との差を算出して、対応テーブル５６から該当する色指定信号を読み出し、液晶表示装置１に出力する。このように、計時部３７による計時処理と、スケジュール管理とを連動させることにより、事前通知などを色により表示することも可能となる。
【００６１】
以上のように、携帯電話機における各種機能と連動させて背景表示領域に表示する色を決定することで、カラフルな表示を可能とするだけでなく、携帯電話機における利便性を高めることができる。
【００６２】
なお、上記実施の形態で説明した詳細な部分は、上記内容に限定されるものではなく、適宜変更可能である。例えば、上記実施の形態では、パーシャル駆動モードにおいて、背景表示領域をＡとＢの２つ設定する場合を例に説明したが、この数に限定する必要はなく、用途や状況に応じて適宜変更可能な設定にしても良いことは勿論である。例えば、背景表示領域の開始位置と終了位置を記憶するレジスタの読み出し可否を指定する信号を色指定信号と合わせて液晶表示装置１に出力する。一方、液晶表示装置１は、色指定信号と合わせて入力された読み出し可否の指定信号に応答して背景表示領域を設定する、といった設定により実現することができる。
【００６３】
また、上記実施の形態では、２つの背景表示領域Ａ，Ｂに対して同一色を表示することとして説明したが、これに限定する必要はなく、個々の背景表示領域の色を指定できる構成にしてもよいことは勿論である。例えば、背景表示領域毎に表示する色を記憶するレジスタを備えることで実現することができる。
【００６４】
図１７は、２つの背景表示領域Ａ，Ｂについてそれぞれ個別に色指定を可能とした場合における、液晶表示装置１のレジスタの例を示す図である。同図によれば、色設定Ａレジスタ「１１０１１」にて背景表示領域Ａの色を記憶し、また、色設定Ｂレジスタ「１１１１０」にて背景表示領域Ｂの色を記憶する。そして、背景表示領域Ａに属するゲート線に電圧を印加している最中には、色設定Ａレジスタから色情報を読み出し、背景表示領域Ｂに属するゲート線に電圧を印加している最中には、色設定Ｂレジスタから色情報を読み出すように設定する。
【００６５】
また、背景表示領域について、所定の時間毎に間引き表示をし、更に消費電力の低減させるようにしてもよい。すなわち、背景表示領域に色を表示する出力頻度を通常よりも少なくする。具体的には、フィールド間隔で指定する。通常、画像を表示する際には、１／３０秒に１度画像を表示しているが、１フィールドとは、その半分、１／６０秒を意味する。すなわち、通常では２フィールド間隔で画像を表示するわけだが、背景表示領域における出力周波数を変更して、画像を出力する間隔を広げる。例えば、３フィールド、５フィールド、７フィールド、…、といった間隔で出力頻度を設定する。このように、間引き表示をすることで、利用者に多少画面がちらつく印象を与えることとなるが、これによって、消費電力を更に低減させることができる。
【図面の簡単な説明】
【００６６】
【図１】パーシャル駆動時における液晶表示画面の一例を示す図である。
【図２】液晶表示装置の回路構成の一例を示すブロック図である。
【図３】ＴＦＴ−ＬＣＤの液晶パネルの基本構成を示す図である。
【図４】液晶表示装置が有するレジスタの一例を示す図である。
【図５】色の組み合わせ例を示す図である。
【図６】ＴＧ部の動作例を示すフローチャートである。
【図７】携帯電話機の電気構成の一例を示すブロック図である。
【図８】バッテリー残量に応じて背景表示領域の色を変化させた一例を示す図である。
【図９】対応テーブルの一例を示す図である。
【図１０】マナーモード選択前後における背景表示領域の色の変化例を示す図である。
【図１１】対応テーブルの一例を示す図である。
【図１２】対応テーブルの一例を示す図である。
【図１３】着信履歴の一例を示す図である。
【図１４】対応テーブルの一例を示す図である。
【図１５】スケジュール管理表の一例を示す図である。
【図１６】対応テーブルの一例を示す図である。
【図１７】液晶表示装置が有するレジスタの他の例を示す図である。
【符号の説明】
【００６７】
１  液晶表示装置
１０  液晶表示パネル
１１  ゲートドライバ
１２  ソースドライバ
１３  ＲＡＭ
１４  データＩ／Ｏ
１５  ＴＧ部
１６  制御Ｉ／Ｏ
３０  携帯電話機
３１  制御部
３２  音入出力部
３３  入力部
３４  通信部
３５  記憶部
３６  電源部
３７  計時部
【図１】
2008116985.tif 000003
【図２】
2008116985.tif 000004
【図３】
2008116985.tif 000005
【図４】
2008116985.tif 000006
【図５】
2008116985.tif 000007
【図６】
2008116985.tif 000008
【図７】
2008116985.tif 000009
【図８】
2008116985.tif 000010
【図９】
2008116985.tif 000011
【図１０】
2008116985.tif 000012
【図１１】
2008116985.tif 000013
【図１２】
2008116985.tif 000014
【図１３】
2008116985.tif 000015
【図１４】
2008116985.tif 000016
【図１５】
2008116985.tif 000017
【図１６】
2008116985.tif 000018
【図１７】
2008116985.tif 000019
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
カラー表示可能な液晶表示部を有し、パーシャル駆動時に、前記液晶表示部を部分表示領域と背景表示領域とに分割して当該液晶表示部を駆動する液晶表示装置と、
当該携帯端末の状態を判定する判定手段と、
前記判定手段により判定される状態に対応する表示色を前記背景表示領域の表示色に設定する色設定手段と、を備えることを特徴とする携帯端末装置。
【請求項２】
請求項１記載の携帯端末装置は携帯電話機であって、
前記状態には、着信したか否か、通信中か否か、所定の通信相手か否か、バッテリー残量が所定の範囲内に含まれるか否か、通信回数が所定回数か否か、着信音出力が可能か否か、及び所定の日時か否か、の内、少なくとも１つの状態が含まれることを特徴とする携帯端末装置。
【手続補正３】
【補正対象書類名】明細書
【補正対象項目名】０００１
【補正方法】変更
【補正の内容】
【０００１】
本発明は、画面を表示領域と背景表示領域とに分割して表示をする携帯端末装置に関する。
【手続補正４】
【補正対象書類名】明細書
【補正対象項目名】０００４
【補正方法】変更
【補正の内容】
【０００４】
本発明の課題は、携帯端末装置の待機時等における消費電力を低減するだけでなく、商品価値および利便性を向上させることである。
【手続補正５】
【補正対象書類名】明細書
【補正対象項目名】０００５
【補正方法】変更
【補正の内容】
【０００５】
請求項１に記載の携帯端末装置は、カラー表示可能な液晶表示部（例えば、図２に示す液晶表示パネル１０）を有し、パーシャル駆動時に、前記液晶表示部を部分表示領域と背景表示領域とに分割して当該液晶表示部を駆動する液晶表示装置と、当該携帯端末の状態を判定する判定手段（例えば、図７に示す制御部３１）と、前記判定手段により判定される状態に対応する表示色を前記背景表示領域の表示色に設定する色設定手段と、を備えることを特徴とする。
【手続補正６】
【補正対象書類名】明細書
【補正対象項目名】０００６
【補正方法】変更
【補正の内容】
【０００６】
この請求項１に記載の発明によれば、パーシャル駆動をする際、背景表示領域に表示する色を設定する手段を有する。したがって、背景表示領域に対して色を表示することによって、従来の背景表示領域における黒表示・白表示のようなあじけなさを解消し、付加価値をつけることができる。また、例えば、ＲＡＭなどに記憶されたデータを読み出して液晶表示画面全体に画像を表示させる場合と比較して、背景表示領域に特定の色を表示させることで、ＲＡＭにアクセスして必要なデータを読み出す処理が軽減されるため、その分消費電力を低減させることができる。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】変更
【補正の内容】
【００１０】
また、単に背景表示領域に色を表示して画面を美しくするだけでなく、色によって携帯端末装置の状態を利用者に知らしめることが可能となり、商品価値の向上と、利便性の向上を図ることができる。
【手続補正１１】
【補正対象書類名】明細書
【補正対象項目名】００１１
【補正方法】変更
【補正の内容】
【００１１】
また、請求項２に記載の発明のように、請求項１記載の携帯端末装置は携帯電話機であって、前記状態には、着信したか否か、通信中か否か、所定の通信相手か否か、バッテリー残量が所定の範囲内に含まれるか否か、通信回数が所定回数か否か、着信音出力が可能か否か、及び所定の日時か否か、の内、少なくとも１つの状態が含まれることとしてもよい。
【手続補正１２】
【補正対象書類名】明細書
【補正対象項目名】００１２
【補正方法】変更
【補正の内容】
【００１２】
この請求項２に記載の発明によれば、携帯電話機において、着信時に背景表示領域の色を変化させたり、通信中に背景表示領域の色を変化させたり、通信相手に応じて色を変化させたり、バッテリーの残量に応じて色を変化させたり、通信回数に応じて色を変化させたり、着信音に合わせて色を変化させたり、利用者によって入力されるスケジュールに応じて色を変化させたり、といった、携帯電話機の機能や状態に応じて色を変化させることができる。すなわち、携帯電話機の利便性を高め、且つ、利用者の遊び心をかきたて、携帯電話機の商品価値を高めることができる。
【手続補正１３】
【補正対象書類名】明細書
【補正対象項目名】００１３
【補正方法】変更
【補正の内容】
【００１３】
本発明によれば、携帯端末装置は、パーシャル駆動時において、背景表示領域に表示する色を設定する手段を有する。したがって、背景表示領域に対して、単に黒表示や白表示をするだけでなく、色を表示することにより商品価値を高めることができる。また、携帯電話機などの携帯端末装置における機能や状態に応じた画面表示を実現することができる。